(57)【要約】      （修正有）【課題】エアドライヤを備えたエアサスペンションシステムに関するもので、コンポーネントの凍結を防ぎ、システムにおける最大のエア量を残すようにする。【解決手段】圧力媒体チャンバ（６ａ−６ｄ）および圧搾エア貯蔵タンク（１２）を圧搾エア吸引ライン（５）を介してコンプレッサ（８）によって充填し、かつ圧搾エアライン（３２）を経て換気するもので、圧搾エアライン（４）に配置したドライヤ（１０）を介してコンプレッサ（８）から供給される圧搾エアの量と大気から引き込まれたエアの温度又は湿度を測定し、望ましい露点に到達するように、エアドライヤに要求される再生成エアの量を、吸い込んだエアの周囲温度または湿度の関数として決定する。【選択図】図１
2015128986.tif 000002
【特許請求の範囲】
【請求項１】
その車両高さコントロールシステムによって、車両ボデーは、少なくとも１つの車両車軸に関して吊架され、分路（３８ａ−３８ｄ）を経由して圧搾エアライン（３４）に接続される圧搾エアチャンバ（６ａ−６ｄ）を有し、コンプレッサ（８）を有し、さらに、各圧搾エアチャンバ（６ａ−６ｄ）に接続される圧搾エア貯蔵容器（１２）に対して圧搾エアライン（４）において配置されるエアドライヤ（１０）を有しており、圧搾エア貯蔵容器（１２）からの圧搾エアは各圧搾エアチャンバ（６ａ−６ｄ）内に移送することができ、さらに、各圧搾エアチャンバ（６ａ−６ｄ）からの圧搾エアは、圧搾エア貯蔵容器（１２）内に移送することができるようにして、圧搾エアチャンバ（６ａ−６ｄ）および圧搾エア貯蔵容器（１２）のために圧搾エアで充填され、さらに大気に接続することができる圧搾エアライン（３２）経由で換気されること、または、コンプレッサ（８）に接続された圧搾エア取入口ライン（５）経由で充填され、さらに圧搾エアライン（３２）経由で換気されることが可能であって、コンプレッサ（８）によってドライヤ（１０）を通して供給された圧搾エア量が、測定されること、大気から吸入したエアの温度、および／または湿度が測定されること、前記ドライヤは、エアが、可能性のある最高の周囲温度および湿度でコンプレッサ（８）によって吸入され、かつ、エアドライヤ（１０）を経由して供給されるという前提の下で、飽和されるとみなすことができるように、常に、ある量の圧搾エアを導くこと、さらには、希望される露点に到達するためにドライヤ（１０）用の前記圧搾エア量に要求される再生成エア量が、取入れ口エアの周囲温度および湿度の関数として決定され、かつ、ドライヤ（１０）の再生成は、前記再生成エア量によって実行されることを特徴とする、車両用の閉じた自動車高さコントロールシステムにおけるエアドライヤ（１０）用の再生成サイクルをコントロールする方法。
【請求項２】
再生成エア量を決定するために使用されている周囲温度の場合には、存在している周囲温度での可能性のある最高の湿度の値が、再生成エア量の決定に基礎として使用されることを特徴とする、請求項１記載の方法。
【請求項３】
エア湿度センサ（５０）が再生成エア量を決定するために使用される場合には、直接測定された湿度内容が、再生成エア量の決定に基礎として使用されることを特徴とする、請求項１記載の方法。
【請求項４】
前記再生成エア量が、時間コントロール方法で、ドライヤ（１０）を通して圧搾エア貯蔵容器（１２）から導かれ、さらに、その再生成エアの放出時間が、現在の貯蔵圧力の関数として決定されることを特徴とする、請求項１〜３のいずれか１項記載の方法。
【発明の詳細な説明】
【技術分野】
【０００１】
この発明は、請求項１のプリアンブルによれば、その自動車高さコントロールシステムによって、車両ボデーが、少なくとも１つの車両車軸に関連して吊架される、車両用の閉じた自動車高さコントロールシステムにおけるエアドライヤ用再生成サイクルをコントロールする方法に関する。
【背景技術】
【０００２】
前置きで言及されたタイプの車両用の閉じた自動車高さコントロールシステムは、欧州特許出願ＥＰ１２４３４４７Ａ２、およびドイツ特許ＤＥ１０２３１２５１Ｃ１から知られている。前記文献から知られた、閉じた自動車高さコントロールシステムは、２方、または４方のコントロール可能な切換弁、圧力媒体容器、および、常に、１つのコントロール可能な切換弁を具備する少なくとも２つの圧力媒体チャンバを有する。前記自動車高さコントロールシステムによって、圧力媒体は、圧力媒体チャンバから圧力媒体貯蔵容器内に、およびその反対方向に、移送することができる。さらに、エアは、圧力媒体貯蔵容器内に入る前にエアドライヤ内で乾燥されている圧搾エアとともに、大気から圧力媒体貯蔵容器内に移送される。エアドライヤを再生成するために、圧力媒体貯蔵容器からの圧力媒体は、スロットルによって拡張され、さらにエアドライヤを通して、かつ吐出弁経由で、エアドライプロセスと比較して反対方向に向かって、大気に導くことができる。ＥＰ１２４３４４７Ａ２に記述された実施例においては、エアは、方向切換弁によって大気から吸引され、さらに、エアドライヤの再生成用の同一の方向切換弁によって換気される。対照的に、ＤＥ１０２３１２５１Ｃ１による実施例は、換気だけが、方向切換制御弁、および上述の圧搾エアライン経由で起こるように、コンプレッサに接続される付加的なエア取入口ラインを有する。
【０００３】
システムコンポーネントが凍らず、かつそれによって、機能的に害されるようにはならないように、エア圧の自動車高さコントロールシステムは、システム内に乾燥エアを要求する。この目的のために、露点（dew point）が、これを防ぐように求められる。
【０００４】
開かれた自動車高さコントロールシステムおよび他の空気圧システム、特には車両ブレーキシステムにおいては、漏出分を引いてシステム内に供給されたエアは、ドライヤを再生成するために再び使用することができ、したがって供給されたエアの１００％が、再生成に利用可能であり、かつ適切な露点に到達する(attain)ことができる。
【０００５】
開放され、および、閉じた両空気圧システムにおいては、コンプレッサがシステム内に圧搾エア供給していない場合にのみ、再生成は生じることができる。圧搾エア消費は、閉じたシステムにおけるよりも開放したシステムにおいてより高いので、開放されたシステムにおけるコンプレッサが、より頻繁に、かつより長く駆動し、また、再生成サイクルを、コンプレッサが、圧搾エアを供給していない時間と一致させることは重要である。
【０００６】
この目的のために、ＤＥ３１３９６８２Ｃ２は、開かれた圧搾エアシステム用のエアドライ装置を開示しており、それは、エアドライヤの上流、および／または下流に配置された、１つ、または２つの湿度センサを有し、さらにまたエア量（mass）センサを有する。事前設定の公称圧力が、圧搾エア貯蔵容器内において到達する毎に、エアドライヤの再生成が、圧力センサによって起きる。再生成時間周期は、エアドライヤの上流、および／または下流に、エア湿度の関数として設定される。
【０００７】
ＥＰ００９３２５３Ｂ２は、空気圧システム用、特には、車両ブレーキシステムのエアドライヤの再生成用のコントロール装置を開示しており、コンプレッサのアイドル運転中に、常に、乾燥のための再生成エア量が、エアドライヤに供給され、その再生成エア量は、コンプレッサの供給動作の前周期の間に、エアドライヤを通って導かれ、供給されたエア量に、ほぼ比例する。コンプレッサの２つの供給サイクル間の時間間隔が、必要な再生成エア量が、エアドライヤを通って流れることを可能にするには短かすぎる場合には、測定は、再生エア量不足が、コンプレッサの次の比較的長いアイドルサイクル中に、エアドライヤの最適の乾燥が構築されることができるように、後の再生サイクルに加えられるように、採用される。エアドライヤの乾燥の効率が、比較的に高温でよりも、比較的に低温で、より低いので、温度センサは、常に決定される再生成エア量が、コンプレッサの供給比率だけでなく、測定された外部の温度にも依存するように、コントロール装置に対して訂正信号を出力するように設けられる。
【０００８】
ＥＰ０５２３１９４Ｂ１（ＤＥ６９０１３１６７Ｔ２）に記述されたさらなる圧搾エアシステムにおいて、湿度センサは、システムにおける圧搾エアの湿度が、エアドライヤが水分で飽和されることを示す所定値を超過する場合には、コンプレッサによってエアの供給を中断し、さらに、エアドライヤを再生成するために、システムにおける圧搾エアの湿度を検出し、さらには、再生成コントロール信号およびコンプレッサコントロール信号を生成するように設けられる。
【０００９】
ＤＥ１９６２０８５１Ａ１は、圧搾エア用、特には、自動車両のエアブレーキシステム用のエア処理配置を開示しており、それは、エアドライヤを通って供給されたエア量用の測定装置を有する。このように決定されたエア量から、電子式コントローラは、エアドライヤの再生成、およびその再生成に必要な再生成エア量のための時間を決定する。したがって、前もって定義したエア量がエアドライヤを通って流れた場合に限り、再生は起こる。再生成のために消費されたエア量は、前のエア量に依存する。再生成エアは、圧力システムから直接抽出される。
【００１０】
エアドライヤを再生成するためにＥＰ１１７３２７０Ｂ１から知られていた方法は、システム圧力、外部の温度、および供給されたエア量が測定され、さらに連続的に前記パラメータに関して、再生成時間およびエアドライヤに対する再生成エアの供給をコントロールするコントロールユニットに送信されるように、決定されているエアドライヤを再生成するために必要なドライヤ再生成エアの量に基づく。
【００１１】
閉じたシステムにおいて、供給されたエアは、単に比例して放出することができるので、システムが動作する方法のために、圧搾エアは、常にシステム内におけるままであるに違いなく、さらに、適切な露点は、それにもかかわらず、保証されるに違いない一方、先行技術から知られているこれらのシステムおよび方法によって、求められることは、最適化された再生成サイクルを生成することであるが、そのサイクルは、しかしながら、閉じた空気圧システム、特には、空気圧自動車高さコントロールシステムに対して、直接移送することはできない。
【発明の概要】
【００１２】
したがって、この発明は、可能な限り少ない再生成エア量によってシステムコンポーネントの凍結を防ぎ、システムにおける最大のエア量を残すシステムにおける露点に到達する目的に基づく。
【００１３】
前記目的は、請求項１の特徴による発明によって達成される。請求項１のプリアンブルによる方法において、この発明によれば、コンプレッサによってドライヤを通って供給される圧搾エア量は、大気から吸入されるエアの温度および／または湿度であるように測定され、前記ドライヤは、エアがコンプレッサによって吸入され、かつ、可能性のある最高の周囲温度および湿度で（at the highest possible ambient temperature and humidity)エアドライヤを通って供給されるという前提の下で、飽和されると見なすことができるように、常に、ある量の圧搾エアを導き、さらに、望ましい露点に到達するためにドライヤ用の前記圧搾エア量に必要である再生成エア量が取入れ口エアの周囲温度および／または湿度の関数として決定され、かつ、ドライヤの再生成は、前記再生成エア量によって実行される。
【００１４】
高温、例えば、＋４０°Ｃで、エアが、＋２０°Ｃ、または−１０°Ｃでよりも著しく多くの水を保持することができるので、より多くの水が、同一の供給されたエア量のための低温でよりも高温でドライヤ内においてバッファされる。再生成中に再び前記水を除去するために、より多くの乾燥エアが高温で再生成用に使用されなければならない。再生成は、したがって、そのような量の圧搾エアが飽和されていると見なすことができるドライヤを通って導かれた場合には、常に、最初に始められるがしかし、その後、必要な再生成エア量が、取込みエアの周囲温度、および／または湿度の関数として、決定され、さらには、ドライヤの再生成が、前記再生成エア量によって実行される。
【００１５】
このように、可能性のある最高の周囲温度および湿度でエアがコンプレッサによって実際に吸入され、かつエアドライヤを通して、後者が実際に飽和されるように供給された場合でさえ、適切な再生成エア量が提供されること、しかしながら、低い周囲温度、および／または吸気の湿度では、相応して低い再生成エア量がドライヤを通って導かれることは、第１に保証される。
【００１６】
請求項２において請求されるように、この発明の改良において、再生成エア量を決定するために使用されている周囲温度の場合には、存在している周囲温度での可能性のある最高のエア湿度の値が、再生成エア量の決定用の基礎として使用されることが準備される。前記改良の利点は、それぞれの温度での可能性のある最高のエア湿度値が知られており、さらにコントロールユニットに格納することができるので、１つの温度センサだけが必要であるということである。
【００１７】
請求項３において請求されるように、この発明の他の改良において、再生成エア量を決定するために使用されているエア湿度センサの場合には、直接測定された湿度内容が、再生成エア量の決定用の基礎として使用されることが提供される。請求項３において請求されるような改良の利点は、請求項２で請求されるような改良の利点と同様に、１つの湿度センサだけが必要であるということである。
【００１８】
さらに、周囲温度、およびさらに吸入されたエアの湿度であって、その後、再生成エア量はそれから直接決定することができるものの両方を測定することは自明的に可能である。
【００１９】
この発明の改良において、請求項４において請求されるように、決定された再生成エア量は、時間コントロールされるやり方で（in a time controlled manner）、圧搾エア貯蔵容器からドライヤを通して導くことができ、さらに、放出時間は、現在の貯蔵圧力の関数として決定される。請求項４において請求されるような改良の利点は、圧搾エア貯蔵容器の圧力が変化する場合でさえ、必要な再生成エア量は、常にドライヤを通って流れるということである。
【図面の簡単な説明】
【００２０】
【図１】図１は、この発明による閉じた自動車高さコントロールシステムの概略的な空気圧回路図である。
【発明を実施するための形態】
【００２１】
この発明は、図面に例証された代表的な実施例に基づいて、以下に説明される。
【００２２】
単一の図は、概略的にこの発明による閉じた自動車高さコントロールシステムの空気圧回路図を例証し、それは圧搾エアで作動され、さらに、エアスプリング６ａ−６ｄの形をしている圧力媒体チャンバ、コンプレッサ８、エアドライヤ１０、および圧力媒体貯蔵容器１２を有する。圧力媒体貯蔵容器１２は、第１の圧力媒体ライン１によって接続され、それは、コンプレッサ入口１４に対して第１の３／２方向切換弁２ａおよび逆止弁３１によって導かれ、さらに制御可能な３／２方向切換弁２ａおよび第４の圧力ライン４であって、逆止弁１８およびエアドライヤ１０がその中に配置されるものによってコンプレッサ出口１６に対して導かれる。逆止弁１８は、圧力媒体貯蔵容器１２の方向に開放するように配置される。
【００２３】
この逆止弁１８と平行に延びているのは、スロットル２２によって、エアドライヤ出口４０に導かれる圧搾エアライン２０である。エアドライヤ入口３９は、第２の圧搾エアライン２によって、さらなる３／２方向切換弁４ａに接続され、それは、第３の圧搾エアライン３および逆止弁３３によって、第１の圧搾エアライン１および第３の圧搾エアライン３が合流され、そこからコンプレッサ入口１４に対する接続があるポイント２９に対して接続される。
【００２４】
逆止弁３１および３３は、コンプレッサ入口１４の方向に開放するように配置される。
【００２５】
３／２方向切換弁４ａは、また、分路（branch）３８ａ−３８ｄおよび２／２方向切換弁２６ａ−２６ｄによって、エアスプリング６ａ−６ｄに対して接続することができる圧力媒体ライン３４に接続される。
【００２６】
ポイント３６から分岐するのは、２／２方向切換弁３０が配置されて、それを介してエアが選択的に大気から吸入され、さらに放出することができる圧搾エアライン３２である。
【００２７】
さらにコンプレッサ入口１４に導かれるのは、エアーフィルタ７、およびコンプレッサ入口１４の方向に開放する逆止弁３５を配置される取入口ライン５である。
【００２８】
コントロールユニット４７は、圧搾エア貯蔵容器１２における現在の貯蔵圧力を決定する圧力センサ４８に接続される。取入口ライン５に配置されたエア温度センサ４９、およびそこに配置されたエア湿度センサ５０が、同様にコントロールユニット４７に接続される。さらなる圧力センサ４２が、圧搾エアライン３４に接続され、さらに、測定されかつコントロールユニット４７に移送されるために、２／２方向切換弁２６ａ−２６ｄの対応する動作によって、空気圧が個々の圧搾エアチャンバ６ａ−６ｄにおいて存在することを可能にする。
【００２９】
コンプレッサ８および３／２方向切換弁２ａ、４ａおよび２／２方向切換弁２６ａ−２６ｄおよび３０用のモータＭと呼ばれる駆動部９は、コントロールユニット４７に対するコントロールラインによって同様に接続される。
【００３０】
自動車高さコントロールシステムを圧搾エアで充填するために、コンプレッサ８は、コントロールライン９経由でコントロールユニット４７によって作動し、取入口フィルタ７、取入口ライン５、および逆止弁３５を通ってエアを吸入し、逆止弁１８、および圧搾エアライン４によるエアドライヤ１０、および圧搾エア貯蔵容器１２内に３／２方向切換弁２ａを通って前記エアを供給する。
【００３１】
コンプレッサ８は、続いて圧搾エア貯蔵容器１２から、３／２方向切換弁２ａ、逆止弁３１、圧搾エアライン２、３／２方向切換弁４ａ、および圧搾エアライン３４によって、分路３８ａ−３８ｄに対して、そしてそこから、２／２方向切換弁２６ａ−２６ｄにより、乾燥した圧搾エアを圧搾エアチャンバ６ａ−６ｄ内に供給する。圧搾エア貯蔵容器１２における圧力が、それによって落ちるので、圧搾エアが、続いて圧搾エアライン５によって、新しく吸入され、コンプレッサ８によって圧縮され、エアドライヤ１０内で乾燥され、圧力センサ４８によって測定された公称圧力が達成されるまで、圧搾エア貯蔵容器１２内に供給される。
【００３２】
吸入されたエアの温度は、エア温度センサ４９によって測定され、また、エア湿度は、エア湿度センサ５０によって測定され、さらに、これらは、コントロールユニット４７に送信される。さらに、自動車高さコントロールシステム内に供給されたエア量は、測定され、それらが、コンプレッサ８によって供給されたエア量に対して固定された比率にあるので、それは、例えば、コンプレッサ８の回転数をカウントすることによって行うことができる。実際に自動車高さコントロールシステム内に進行した圧搾エアは、その後、モータ回転の数、測定されたエア温度、および測定されたエア湿度から決定される。
【００３３】
自動車高さコントロールシステムの作動中に、圧搾エアは、運転状況を考慮に入れるために、圧搾エアチャンバ６ａ−６ｄと圧搾エア貯蔵容器１２との間で行き来して、供給される。前記動作モードは、例えば、ＥＰ１２４３４４７Ａ２に記述され、その開示は、この出願の全体に組み入れられる。
【００３４】
圧力調整システムの全容積が固定値を有するので、圧力調整システム内に存在する圧力は、上昇する温度につれて増加し、低温では下がる。このことは、上昇する温度につれて、圧搾エアが、２／２方向切換弁３０および圧搾エアライン３２によってシステムから放出されるに違いないこと、さらに、下がる温度につれて、圧搾エアが、取入口ライン５およびコンプレッサ８によって再び交換されるに違いないことを意味する。さらに、また同様に交換されるに違いない漏れ損失もある。
【００３５】
自動車高さコントロールシステムからの圧搾エアのすべての放出中に、前記エアは、ドライヤ１０を通って流れ、さらに後者を再生成する役目をする。
【００３６】
圧力変動のために要求される圧搾エア放出にかかわらず、特に、エアドライヤ１０が水分で飽和される場合には、エアドライヤ１０の集中的な再生成が、時々必要である。
【００３７】
この発明によれば、想定された最高温度値および想定された最大湿度値で、エアドライヤ１０の飽和に帰着する圧搾エア量が自動車高さコントロールシステム内に供給される場合に、エアドライヤ１０が飽和されることが想定される。コントロールユニット４７は、大気から吸入されたエアの測定された温度、および／または湿度から、その後ドライヤ１０用に必要である再生成エア量を決定し、さらに、３／２方向切換弁２ａが、圧搾エアライン３４に通過を許可するように切換えられるその間に、再生成サイクルを作動するとともに、さらに、３／２方向切換弁４ａが、圧搾エアライン２から圧搾エアライン３４までの通過を許すように切換え、そしてその中で、２／２方向切換弁３０は、再生成エアが圧搾エアライン３２経由で大気に逃げることができるように開放される。ドライヤ１０を通って流れる再生成エアは、スロットル２２内で減速され、そこで、スロットル作用によって引き起こされる圧搾エアの拡散の結果として、エアドライヤ１０内に位置して、粒状のドライヤの改善された再生成作用は、達成され、すなわち、比較的激しい乾燥作用が、比較的少ない圧搾エア消費で得られる。
【００３８】
常にではなく、最大の公称圧力が、圧搾エア貯蔵容器１２内に存在しているので、コントロールユニット４７によって決定される再生成エア量は、ドライヤ１０を通って圧搾エア貯蔵容器１２から時間コントロールされたやり方で導かれ、そこでは、放出時間は、現在の貯蔵圧力の関数として変化する。
【００３９】
さらに説明すべきことは、外部接続用の圧搾エアライン４４は、エアドライヤ出口４０で備えられ、その圧搾エアライン４４は、逆止弁４６によって、エアドライヤ出口４０の方向において遮断されるということである。
【００４０】
エアドライヤ１０用の再生成サイクルをコントロールするための、この発明による方法によって、最小の再生成エア量消費を達成することが可能であり、したがって、最大のエア量がシステム内に残り、さらに自動車高さコントロールシステムの機能が再生成サイクルによって害されない。
【符号の説明】
【００４１】
１ 第１の圧搾エアライン   ２ 第２の圧搾エアライン   ３ 第３の圧搾エアライン   ４ 第４の圧搾エアライン   ２ａ ３／２方向切換弁   ４ａ ３／２方向切換弁   ５ 取入口ライン   ６ａ−６ｄ 圧搾エアチャンバ、エアスプリング   ７ 取入口フィルタ   ８ コンプレッサ   ９ コントロールライン   １０ エアドライヤ   １２ 圧搾エア貯蔵容器   １４ コンプレッサ入口   １６ コンプレッサ出口   １８ 逆止弁   ２０ 圧搾エアライン   ２２ スロットル   ２６ａ−２６ｄ ２／２方向切換弁   ２９ ポイント   ３０ ２／２方向切換弁   ３１ 逆止弁   ３２ 圧搾エアライン   ３３ 逆止弁   ３４ 圧搾エアライン   ３５ 逆止弁   ３６ ポイント   ３８ａ−３８ｄ 分路   ３９ エアドライヤ入口   ４０ エアドライヤ出口   ４２ 圧力センサ   ４４ 外部接続のための圧搾エアライン   ４６ 逆止弁   ４７ 入出力コントロールユニット   ４８ 圧力センサ   ４９ エア温度センサ   ５０ エア湿度センサ
【図１】
2015128986.tif 000003
【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
その車両高さコントロールシステムによって、車両ボデーは、少なくとも１つの車両車軸に関して吊架され、分路（３８ａ−３８ｄ）を経由して圧搾エアライン（３４）に接続される圧搾エアチャンバ（６ａ−６ｄ）を有し、コンプレッサ（８）を有し、さらに、各圧搾エアチャンバ（６ａ−６ｄ）に接続される圧搾エア貯蔵容器（１２）に対して圧搾エアライン（４）において配置されるエアドライヤ（１０）を有しており、圧搾エア貯蔵容器（１２）からの圧搾エアは各圧搾エアチャンバ（６ａ−６ｄ）内に移送することができ、さらに、各圧搾エアチャンバ（６ａ−６ｄ）からの圧搾エアは、圧搾エア貯蔵容器（１２）内に移送することができるようにして、圧搾エアチャンバ（６ａ−６ｄ）および圧搾エア貯蔵容器（１２）のために圧搾エアで充填され、さらに大気に接続することができる圧搾エアライン（３２）経由で換気されること、または、コンプレッサ（８）に接続された圧搾エア取入口ライン（５）経由で充填され、さらに圧搾エアライン（３２）経由で換気されることが可能であって、コンプレッサ（８）によってドライヤ（１０）を通して供給された圧搾エア量が、測定されること、大気から吸入したエアの温度、および／または湿度が測定されること、前記ドライヤは、エアが、可能性のある最高の周囲温度および湿度でコンプレッサ（８）によって吸入され、かつ、エアドライヤ（１０）を経由して供給されるという前提の下で、飽和されるとみなすことができるように、常に、ある量の圧搾エアを導くこと、さらには、希望される露点に到達するためにドライヤ（１０）用の前記圧搾エア量に要求される再生成エア量が、取入れ口エアの周囲温度および湿度の関数として決定され、かつ、ドライヤ（１０）の再生成は、前記再生成エア量によって実行されることを特徴とする、車両用の閉じた自動車高さコントロールシステムにおけるエアドライヤ（１０）用の再生成サイクルをコントロールする方法。
【手続補正２】
【補正対象書類名】明細書
【補正対象項目名】００４０
【補正方法】変更
【補正の内容】
【００４０】
エアドライヤ１０用の再生成サイクルをコントロールするための、この発明による方法によって、最小の再生成エア量消費を達成することが可能であり、したがって、最大のエア量がシステム内に残り、さらに自動車高さコントロールシステムの機能が再生成サイクルによって害されない。
なお、以下に、この出願の明細書の特許請求の範囲記載の発明を付記する。
[条項１]
その車両高さコントロールシステムによって、車両ボデーは、少なくとも１つの車両車軸に関して吊架され、分路（３８ａ−３８ｄ）を経由して圧搾エアライン（３４）に接続される圧搾エアチャンバ（６ａ−６ｄ）を有し、コンプレッサ（８）を有し、さらに、各圧搾エアチャンバ（６ａ−６ｄ）に接続される圧搾エア貯蔵容器（１２）に対して圧搾エアライン（４）において配置されるエアドライヤ（１０）を有しており、圧搾エア貯蔵容器（１２）からの圧搾エアは各圧搾エアチャンバ（６ａ−６ｄ）内に移送することができ、さらに、各圧搾エアチャンバ（６ａ−６ｄ）からの圧搾エアは、圧搾エア貯蔵容器（１２）内に移送することができるようにして、圧搾エアチャンバ（６ａ−６ｄ）および圧搾エア貯蔵容器（１２）のために圧搾エアで充填され、さらに大気に接続することができる圧搾エアライン（３２）経由で換気されること、または、コンプレッサ（８）に接続された圧搾エア取入口ライン（５）経由で充填され、さらに圧搾エアライン（３２）経由で換気されることが可能であって、コンプレッサ（８）によってドライヤ（１０）を通して供給された圧搾エア量が、測定されること、大気から吸入したエアの温度、および／または湿度が測定されること、前記ドライヤは、エアが、可能性のある最高の周囲温度および湿度でコンプレッサ（８）によって吸入され、かつ、エアドライヤ（１０）を経由して供給されるという前提の下で、飽和されるとみなすことができるように、常に、ある量の圧搾エアを導くこと、さらには、希望される露点に到達するためにドライヤ（１０）用の前記圧搾エア量に要求される再生成エア量が、取入れ口エアの周囲温度および湿度の関数として決定され、かつ、ドライヤ（１０）の再生成は、前記再生成エア量によって実行されることを特徴とする、車両用の閉じた自動車高さコントロールシステムにおけるエアドライヤ（１０）用の再生成サイクルをコントロールする方法。
[条項２]
再生成エア量を決定するために使用されている周囲温度の場合には、存在している周囲温度での可能性のある最高の湿度の値が、再生成エア量の決定に基礎として使用されることを特徴とする、条項１記載の方法。
[条項３]
エア湿度センサ（５０）が再生成エア量を決定するために使用される場合には、直接測定された湿度内容が、再生成エア量の決定に基礎として使用されることを特徴とする、条項１記載の方法。
[条項４]
前記再生成エア量が、時間コントロール方法で、ドライヤ（１０）を通して圧搾エア貯蔵容器（１２）から導かれ、さらに、その再生成エアの放出時間が、現在の貯蔵圧力の関数として決定されることを特徴とする、条項１〜３のいずれか１項記載の方法。
【外国語明細書】
2015128986000001.pdf